(57)【要約】【課題】同報伝送メッセージを送信する際、各受信者の電話番号の公開可否をチェックし、受信者が公開された電話番号を確認でき、又、同報伝送メッセージを受信する際、公開された電話番号を受信者が任意に格納又は編集できる移動通信端末機の同報伝送メッセージサービス方法を提供する。【解決手段】同報伝送メッセージ及び受信者の電話番号を入力して、各受信者の電話番号の公開可否を設定して送信する送信段階と、前記同報伝送メッセージを受信して、メッセージの内容及び公開された受信者の電話番号を確認する受信段階と、を有することを特徴とする。【選択図】図１
2004343741.tif 000002
【特許請求の範囲】
【請求項１】
同報伝送メッセージ及び各受信者の電話番号を入力して、各受信者の電話番号の公開可否を設定して送信する送信段階と、
前記同報伝送メッセージを受信して、メッセージの内容及び公開された受信者の電話番号を確認する受信段階と、を有することを特徴とする移動通信端末機の同報伝送メッセージサービス方法。
【請求項２】
前記送信段階は、
同報伝送メッセージ及び各受信者の電話番号を入力する段階と、
各受信者の電話番号の公開可否を設定する段階と、
前記同報伝送メッセージが該当する各受信者に伝送される段階と、を有することを特徴とする請求項１記載の移動通信端末機の同報伝送メッセージサービス方法。
【請求項３】
前記同報伝送メッセージは、
メッセージ内容及び送信者の電話番号が含まれたデータフレームと、
前記公開された受信者の電話番号が含まれたデータフレームと、から構成されることを特徴とする請求項１記載の移動通信端末機の同報伝送メッセージサービス方法。
【請求項４】
前記受信段階は、
受信された同報伝送メッセージの内容、送信者の電話番号及び公開された受信者の電話番号を検出する段階と、
前記検出された同報伝送メッセージの内容、送信者の電話番号及び公開された受信者の電話番号を移動通信端末機の「ディスプレイ」部に表示する段階と、を有することを特徴とする請求項１記載の移動通信端末機の同報伝送メッセージサービス方法。
【請求項５】
前記受信段階は、
前記公開された受信者の電話番号に選択的に返信する段階と、
前記公開された受信者の電話番号を選択的に格納する段階と、を更に有することを特徴とする請求項１記載の移動通信端末機の同報伝送メッセージサービス方法。
【請求項６】
短文メッセージの内容及び各受信者の電話番号が入力される段階と、
各受信者の電話番号の公開可否が入力される段階と、
前記短文メッセージが各受信者に送信される段階と、を有することを特徴とする移動通信端末機の同報伝送メッセージサービス方法。
【請求項７】
前記短文メッセージは、
前記短文メッセージの内容及び送信者の電話番号が含まれたデータフレームと、
前記公開された受信者の電話番号が含まれたデータフレームと、から構成されることを特徴とする請求項６記載の移動通信端末機の同報伝送メッセージサービス方法。
【請求項８】
前記受信者の電話番号が含まれたデータフレームは、前記短文メッセージを伝送するフィールド中、マージンフィールドを使用して伝送することを特徴とする請求項７記載の移動通信端末機の同報伝送メッセージサービス方法。
【請求項９】
受信された短文メッセージが同報伝送メッセージであるか否かを判断する段階と、
前記判断した結果が同報伝送メッセージである場合に、同報伝送メッセージの内容、送信者の電話番号及び公開された受信者の電話番号を各々検出する段階と、
前記検出された同報伝送メッセージの内容、送信者の電話番号及び公開された受信者の電話番号を移動通信端末機の「ディスプレイ」部に表示する段階と、を有することを特徴とする移動通信端末機の同報伝送メッセージサービス方法。
【請求項１０】
前記同報伝送メッセージに対して返信する段階を更に有することを特徴とする請求項９記載の移動通信端末機の同報伝送メッセージサービス方法。
【請求項１１】
前記同報伝送メッセージに対する返信は、送信者の電話番号及び公開された受信者の電話番号リストから選択的に指定されて行われることを特徴とする請求項１０記載の移動通信端末機の同報伝送メッセージサービス方法。
【請求項１２】
前記選択された各電話番号の公開可否が設定されて伝送されることを特徴とする請求項１１記載の移動通信端末機の同報伝送メッセージサービス方法。
【請求項１３】
前記送信者の電話番号及び公開された受信者の電話番号リストから選択された電話番号を格納する段階を更に有することを特徴とする請求項９記載の移動通信端末機の同報伝送メッセージサービス方法。
【請求項１４】
前記同報伝送メッセージを判断する段階は、短文メッセージに含まれたデータフレームの個数又は前記データフレームのヘッダに含まれた情報を利用することを特徴とする請求項９記載の移動通信端末機の同報伝送メッセージサービス方法。
【請求項１５】
受信された短文メッセージが同報伝送メッセージであるか否かを判断する段階と、
前記判断した結果が同報伝送メッセージである場合に、メッセージの内容、送信者の電話番号及び公開された受信者の電話番号をディスプレイ部に表示する段階と、
受信された短文メッセージに対して選択的に返信する段階と、
前記送信者の電話番号及び公開された受信者の電話番号リストから選択した電話番号を格納する段階と、を有することを特徴とする移動通信端末機の同報伝送メッセージサービス方法。
【請求項１６】
前記返信する段階は、
返信するためのメッセージの内容を作成する段階と、
受信された短文メッセージの送信者及び公開された受信者の電話番号リストから、前記返信メッセージを伝送する電話番号を選択する段階と、
前記選択された電話番号の公開可否を設定する段階と、
前記返信メッセージを送信する段階と、を有することを特徴とする請求項１５記載の移動通信端末機の同報伝送メッセージサービス方法。
【請求項１７】
前記送信者及び公開された受信者の電話番号が移動通信端末機に既格納された電話番号である場合には、格納された情報として表示されることを特徴とする請求項１５記載の移動通信端末機の同報伝送メッセージサービス方法。
【発明の詳細な説明】
【技術分野】
【０００１】
本発明は、移動通信端末機の短文メッセージ送受信方法に係り、より詳しくは、同報伝送サービスを支援する移動通信端末機の同報伝送メッセージサービス方法に関するものである。
【背景技術】
【０００２】
最近、移動通信端末機が急速に普及するにつれて、短文メッセージサービス（ｓｈｏｒｔ  ｍｅｓｓａｇｅ  ｓｅｒｖｉｃｅ、ＳＭＳ）を利用する人口も急増しているが、この短文メッセージサービスは、発信とほぼ同時に相手方の移動通信端末機に情報を伝達できるので、現在の移動通信端末機を利用する音声通信サービスと一緒に、重要な通信手段の一つとして認識されている。
【０００３】
ここで、短文メッセージサービスは、移動通信端末機器間の通話有無に関係なく、短い文字メッセージを取り交わす双方向サービスをいい、短文メッセージサービスでは、移動通信サービスの加入者が８０バイト程度の短文メッセージを同様又は異なる移動通信サービスの加入者に送ると、公衆電話網、データ通信ネットワーク又はインターネットを通してそれぞれメッセージを受け取ることができる。
【０００４】
一般に、短文メッセージサービスは、一人の発信者と一人の受信者間で行われるので、発信者が同一内容の短文メッセージを複数の受信者に伝送するためには、各受信者にメッセージを伝送する度毎に同一内容を入力するか、又はキー操作により格納されたメッセージを呼び出し、受信者の電話番号を入力する段階を反復しなければならないという問題点があった。
【０００５】
このような問題点を解決するために、従来の移動通信端末機の短文メッセージ伝送方法には、複数の受信者に文字メッセージを同時に伝送できる同報伝送メッセージ機能が含まれている。
【０００６】
即ち、図５（Ａ）〜（Ｄ）及び図６（Ａ）〜（Ｃ）は、従来の移動通信端末機の同報伝送メッセージの送受信段階を示した説明図で、図５（Ａ）に示したように、使用者は、キー操作により移動通信端末機の文字メッセージメニューに進入し、この文字メッセージメニュー中、「発信ボックス」項目を選択すると、図５（Ｂ）に示したように、所定の下位項目が表示されるので、使用者は、該当する下位項目中、「新しいメッセージ」項目を選択すると、図５（Ｃ）に示したように、使用者が複数の受信者に送信すべきメッセージ内容を入力する入力ウインドウが表示され、使用者は、キー操作により送信したいメッセージ内容を入力する。
【０００７】
次いで、使用者がメッセージ入力を終了して確認キーを押すと、図５（Ｄ）に示したように、同報伝送メッセージを受信する各受信者の電話番号を入力する電話番号入力ウインドウが表れるので、使用者は、各受信者の電話番号を入力した後メッセージを伝送する。その際、同報伝送メッセージは、各受信者の電話番号に順次伝送される。
【０００８】
このような段階で伝送された同報伝送メッセージが移動通信端末機により各受信者に受信されると、使用者は、該当する受信メッセージを確認するために、図６（Ａ）に示したように、文字メッセージメニューに進入し、下位項目中、「受信ボックス」項目を選択する。
【０００９】
次いで、「受信ボックス項目」が選択されると、図６（Ｂ）に示したように、受信された文字メッセージのリストが表示されるので、そのリスト中、最近に受信された文字メッセージ項目を選択して、図６（Ｃ）に示したように、該当する文字メッセージの内容を確認する。
【００１０】
その際、受信された文字メッセージには、文字メッセージの内容と一緒に発信者の電話番号及び発信時間などが表示される。
【００１１】
特許文献１には、このような従来の移動通信端末機の同報伝送メッセージサービス方法に係り、受信者番号リストに、送信不能の宛先電話番号がある場合に、使用者にリストの再編集をさせることなく、送信可能な宛先にのみ自動的に送信する技術が開示されている。
【特許文献１】特開２００４−０８６３２９号公報
【発明の開示】
【発明が解決しようとする課題】
【００１２】
しかしながら、このような従来の移動通信端末機の同報伝送メッセージサービス方法では、受信された文字メッセージが同報伝送メッセージであるか否かを受信者が把握できないという問題があった。
【００１３】
又、同報伝送メッセージを受信した特定の使用者が、自身以外に該当のメッセージを受信した他の受信者の電話番号を確認できないという問題があった。
【００１４】
本発明は、このような従来の問題に鑑みてなされたもので、同報伝送メッセージを送信する際に、各受信者の電話番号の公開可否をチェックし、公開が可である場合、各受信者がその公開された電話番号を確認できる、移動通信端末機の同報伝送メッセージサービス方法を提供することを目的とする。
【００１５】
又、同報伝送メッセージを受信する際、公開された電話番号を受信者が任意に格納又は編集できる移動通信端末機の同報伝送メッセージサービス方法を提供することを目的とする。
【課題を解決するための手段】
【００１６】
このような目的を達成するため、本発明に係る移動通信端末機の同報伝送メッセージサービス方法は、同報伝送メッセージ及び受信者の電話番号を入力して、各受信者の電話番号の公開可否を設定して送信する送信段階と、前記同報伝送メッセージを受信して、メッセージ内容及び公開された受信者の電話番号を確認する受信段階とを有することを特徴とする。
【００１７】
又、本発明に係る移動通信端末機の同報伝送メッセージサービス方法は、短文メッセージの内容及び各受信者の電話番号が入力される段階と、各受信者の電話番号の公開可否が入力される段階と、前記短文メッセージが各受信者に送信される段階とを有することを特徴とする。
【００１８】
又、本発明に係る移動通信端末機の同報伝送メッセージサービス方法は、受信された短文メッセージが同報伝送メッセージであるか否かを判断する段階と、この判断結果が同報伝送メッセージである場合に、同報伝送メッセージの内容、送信者の電話番号及び公開された受信者の電話番号を各々検出する段階と、前記検出された同報伝送メッセージの内容、送信者の電話番号及び公開された受信者の電話番号を移動通信端末機のディスプレイ部に表示する段階とを有することを特徴とする。
【００１９】
又、本発明に係る移動通信端末機の同報伝送メッセージサービス方法は、受信された短文メッセージが同報伝送メッセージであるか否かを判断する段階と、この判断結果が同報伝送メッセージである場合に、メッセージの内容、送信者の電話番号及び公開された受信者の電話番号をそれぞれディスプレイ部に表示する段階と、受信された短文メッセージに対して選択的に返信する段階と、前記送信者の電話番号及び公開された受信者の電話番号リストから選択した電話番号を格納する段階とを有することを特徴とする。
【発明の効果】
【００２０】
本発明に係る移動通信端末機の同報伝送メッセージサービス方法は、同報伝送メッセージを受信して、メッセージの内容、送信者の情報及び公開された受信者の電話番号を同時に表示することで、同報伝送メッセージを受信した他の受信者の電話番号又は情報を確認できるという効果がある。
【００２１】
又、受信された同報伝送メッセージの送信者及び公開された受信者の電話番号を受信者が任意に格納又は編集して、選択的に返信短文メッセージを伝送できるので、使用者の利便性が増すという効果がある。
【発明を実施するための最良の形態】
【００２２】
以下、本発明の実施の形態に対し、図面に基づいて説明する。
【実施例１】
【００２３】
本発明に係る移動通信端末機の同報伝送メッセージサービス方法では、送信者が同報伝送メッセージを作成して、各受信者の電話番号及び各電話番号の公開可否を選択して文字メッセージを送信する送信段階と、同報伝送メッセージを受信して、文字メッセージ内容及び公開された電話番号を確認する受信段階と、を有する。
【００２４】
その際、各受信者は、公開された電話番号に対して返信するか、又は各電話番号を移動通信端末機に格納する一連の動作を行うことができる。
【００２５】
又、送信段階では、文字メッセージ及び公開された電話番号リストが含まれたデータフレームを伝送しなければならないが、従来の移動通信システムは、文字メッセージの量及びコールバック番号に使用できる電話番号のデータ量が限定されていたので、本発明に係る移動通信端末機の同報伝送メッセージサービス方法を適用するためには、従来の移動通信システムに、公開された電話番号リストを伝送するための新しいデータフレームを追加しなければならない。
【００２６】
即ち、従来の文字メッセージと同様に、文字メッセージの内容及び送信者の電話番号を含むデータフレームと、公開された各電話番号を伝送するためのデータフレームとが必要であるが、それら公開された各電話番号を伝送するためのデータフレームは、文字メッセージを伝送するためのフィールド中、マージンフィールドを使用する。
【００２７】
従来の移動通信端末機を利用して本発明に係る同報伝送メッセージを受信すると、文字メッセージの内容や送信者の電話番号は確認できるが、本発明に係る公開された受信者の電話番号は確認できない。
【００２８】
図１は本発明に係る移動通信端末機のメッセージサービス方法の送信段階を示したフローチャートで、図に示すように、使用者は、移動通信端末機のキー操作により伝送すべき同報伝送メッセージを作成し（ステップＳ１１）、この同報伝送メッセージを受信する各受信者の電話番号を入力する（ステップＳ１２）。
【００２９】
次いで、この入力された各受信者の電話番号の公開可否を設定し（ステップＳ１３）、同報伝送メッセージ内容、送信者の電話番号及び公開された受信者の電話番号により構成されたデータフレームを伝送する（ステップＳ１４）。
【００３０】
図２（Ａ）〜（Ｂ）は、本発明に係る移動通信端末機の同報伝送メッセージサービス方法の送信段階の一実施形態を示した説明図で、以下、本発明の動作を図面に基づいて説明する。
【００３１】
まず、移動通信端末機のキー操作により所定の文字メッセージメニューに進入して、下位項目中、「発信ボックス」項目を選択する。
【００３２】
次いで、使用者が「発信ボックス」項目を構成する下位項目中、「新しいメッセージ」項目を選択すると、図２（Ａ）に示すように、メッセージ入力ウインドウが表示されるので、使用者は、送信すべき文字メッセージの内容を入力する。
【００３３】
次いで、使用者が文字メッセージの入力を終了して確認キーを押すと、図２（Ｂ）に示すように、文字メッセージを受信する各受信者の電話番号を入力すべき電話番号入力ウインドウが表示されるので、使用者は、各受信者の電話番号を入力し、それら入力された各電話番号の公開可否を設定する。
【００３４】
その際、例えば入力された受信者の電話番号が１０個で、公開設定された受信者の電話番号が５個である場合には、同報伝送メッセージが受信された移動通信端末機には、公開設定された５個の受信者の電話番号のみが表示される。
【００３５】
次いで、同報伝送メッセージの内容、受信者の電話番号及び各受信者の電話番号の公開可否が設定されると、メッセージ内容及び送信者の電話番号がそれぞれ含まれたデータフレームと、公開設定された受信者の電話番号が含まれたデータフレームとが伝送される。
【００３６】
その際、公開設定された受信者の電話番号がない場合も、同報伝送に対するヘッダが含まれたデータフレームが伝送される。即ち、同報伝送メッセージを送信する際に、公開設定された受信者の電話番号がなくても、常に、公開された受信者の電話番号を伝送するために割り当てられたデータフレームが伝送される。
【００３７】
図３は本発明に係る移動通信端末機のメッセージサービス方法の受信段階を示したフローチャートで、図に示すように、移動通信端末機が短文メッセージを受信すると（ステップＳ２１）、この短文メッセージが同報伝送メッセージであるか否かを確認する（ステップＳ２２）。
【００３８】
この確認の結果、短文メッセージが同報伝送メッセージである場合には、メッセージの内容、送信者の電話番号及び公開された受信者の電話番号を移動通信端末機のディスプレイ部に表示し（ステップＳ２３）、短文メッセージが同報伝送メッセージでない一般の短文メッセージである場合には、メッセージの内容及び送信者の電話番号をディスプレイ部に表示する（ステップＳ２４）。
【００３９】
次いで、使用者は、同報伝送メッセージの内容を確認し、該当の文字メッセージに対する返信可否を決定する（ステップＳ２５）。次いで、使用者が返信を決定すると、文字メッセージを作成して、同報伝送メッセージの送信者及び公開された受信者の電話番号中、返信短文メッセージを受信する電話番号を選択して送信する（ステップＳ２６）。
【００４０】
次いで、使用者は、同報伝送メッセージに対して返信しないか、又は返信を終了した後、送信者及び公開された受信者の電話番号を格納するか否かを判断し（ステップＳ２７）、送信者及び公開された受信者の電話番号を選択的に格納する（ステップＳ２８）。
【００４１】
図４（Ａ）〜（Ｃ）は、本発明に係る移動通信端末機の同報伝送メッセージサービス方法の受信段階の一実施形態を示した説明図で、図に示すように、移動通信端末機に短文メッセージが受信されると、この短文メッセージが一般の短文メッセージであるか又は同報伝送メッセージであるかを判断する。
【００４２】
その際、受信された短文メッセージの種類は、受信されたデータフレームの個数又はデータフレームのヘッダに含まれた情報によって判断される。
【００４３】
次いで、受信された短文メッセージが一般の短文メッセージである場合には、この短文メッセージの内容及び送信者の電話番号を検出して移動通信端末機のディスプレイ部に表示する。
【００４４】
しかしながら、受信された短文メッセージが同報伝送メッセージである場合には、この短文メッセージの内容、送信者の電話番号及び公開された受信者の電話番号を検出して、図４（Ａ）に示すように、移動通信端末機のディスプレイ部に表示する。
【００４５】
その際、公開された受信者の電話番号がない場合、受信者の電話番号表示領域に所定の文言、例えば、‘公開された受信者の電話番号がありません’のような文言を表示することで、受信された短文メッセージが同報伝送メッセージであることを使用者に知らせることができる。
【００４６】
このような公開された受信者の電話番号は、本発明に係る同報伝送サービスが適用される移動通信端末機には表示されるが、従来の移動通信端末機には表示されない。
【００４７】
次いで、使用者が同報伝送メッセージを確認して、受信されたメッセージに対して返信するために、所定キーを押して返信命令を入力すると、図４（Ｂ）に示すように、送信者の電話番号及び公開された受信者の電話番号リストが表示される。
【００４８】
次いで、使用者は、この電話番号リストから、同報伝送メッセージに対する返信を受信する電話番号を選択し、返信に対するメッセージの内容を入力して伝送する。
【００４９】
その際、返信短文メッセージが同報伝送メッセージである場合には、使用者は、選択した受信者の電話番号の公開可否を設定することができる。
【００５０】
次いで、同報伝送メッセージの送信者の電話番号及び公開された受信者の電話番号リストから所定の格納キーを押し、所定の電話番号を移動通信端末機に内蔵された電話帳に格納することもできる。
【００５１】
即ち、同報伝送メッセージが移動通信端末機のディスプレイ部に表示された状態で、所定の格納キーを押すと、図４（Ｃ）に示したように、同報伝送メッセージの送信者及び公開された受信者の電話番号のリストが出力される。
【００５２】
その際、電話番号リストに、移動通信端末機の電話帳に登録された電話番号と一致する電話番号があると、該当する電話番号は、移動通信端末機に登録された情報として表示される。
【００５３】
次いで、使用者が電話番号リストから格納すべき電話番号を選択して、確認キーを押すと、選択された電話番号は、移動通信端末機の電話帳に登録される。
【００５４】
その際、使用者が確認キーを押すと、ディスプレイ部に電話番号登録ウインドウが表示され、該当する電話番号登録ウインドウに名前や所定情報を入力して確認キーを押すことで、該当の電話番号が格納される。
【００５５】
なお本発明は、上述の実施例に限られるものではない。本発明の技術的範囲から逸脱しない範囲内で多様に変更実施することが可能である。
【図面の簡単な説明】
【００５６】
【図１】本発明に係る移動通信端末機の同報伝送メッセージサービス方法の送信段階を示したフローチャートである。
【図２】（Ａ）（Ｂ）は、本発明に係る移動通信端末機の同報伝送メッセージサービス方法の送信段階の一実施形態を示した説明図である。
【図３】本発明に係る移動通信端末機の同報伝送メッセージサービス方法の受信段階を示したフローチャートである。
【図４】（Ａ）〜（Ｃ）は、本発明に係る移動通信端末機の同報伝送メッセージサービス方法の受信段階の一実施形態を示した説明図である。
【図５】（Ａ）〜（Ｄ）は、従来の、移動通信端末機の同報伝送メッセージの送信方法を示した説明図である。
【図６】（Ａ）〜（Ｃ）は、従来の、移動通信端末機の同報伝送メッセージの受信方法を示した説明図である。
【図１】
2004343741.tif 000003
【図２】
2004343741.tif 000004
【図３】
2004343741.tif 000005
【図４】
2004343741.tif 000006
【図５】
2004343741.tif 000007
【図６】
2004343741.tif 000008